(57)【要約】【課題】カーテンの取り付けに際して、ビスやボルト・ナット等の締結具や面ファスナを不要とし、カーテンの取り付け作業を簡易に短時間で行うことができるブースを提供すること。【解決手段】支柱２と、支柱２の上部を連結する梁３と、支柱２間の開口部を閉鎖するカーテン４とを備えたブース１において、支柱２及び梁３の全長に亘って蟻溝１０を形成し、カーテン４の端部を折り返して形成したループ部４ａに弾性変形可能な素材からなるカーテン係止部材７を挿入し、このカーテン係止部材７を、カーテン４の端部のループ部４ａと共に、蟻溝１０に嵌着するようにする。【選択図】図４
2009002041.tif 000002
【特許請求の範囲】
【請求項１】
支柱と、支柱の上部を連結する梁と、支柱間の開口部を閉鎖するカーテンとを備えたブースにおいて、支柱及び梁の全長に亘って蟻溝を形成し、カーテンの端部を折り返して形成したループ部に弾性変形可能な素材からなるカーテン係止部材を挿入し、該カーテン係止部材を、カーテンの端部のループ部と共に、前記蟻溝に嵌着してなることを特徴とするブース。
【発明の詳細な説明】
【技術分野】
【０００１】
本発明は、各種実験、電子部品の組立等の清浄雰囲気や恒温雰囲気を必要とする各種作業を行うために、限られた必要箇所のみを清浄雰囲気や恒温雰囲気に保持するために用いられるブースに関するものである。
【背景技術】
【０００２】
従来、ブース５０は、図６〜図９に示すように、４本の支柱５２と、この支柱５２の上部を連結する梁５１と、梁５１上に載置する正方形又は矩形状の天板５３とから構成され、天板５３には吸引ファンＦとフィルタ（図示省略）を配設し、その使用に際しては、支柱５２間の開口部を閉鎖する合成樹脂製のシート材からなるカーテン５４を取り付け、吸引ファンＦから吸引した外部空間の空気をフィルタにより濾過して浄化空気とし、ブース５０内に下降流として吹き出すようにすることにより、ブース空間を清浄雰囲気に保持していた（例えば、特許文献１参照）。
【０００３】
このブース５０を組み立てる場合、図７（ａ）に示すように、まず２本の支柱５２、５２を梁５１で連結したコ字状の仮組体５５を２組組み立て、これを立設して、図７（ｂ）に示すように、対面する支柱５２、５２同士を梁５１で連結する。
【０００４】
その後、梁５１及び補助梁５１ａ、５１ｂで、天面を格子状に区画した上に天板５３を載置し、カーテン５４を取り付ける。
この場合、天板５３は、梁５１と補助梁５１ａ、５１ｂで格子状に区画したサイズに形成され、図８〜図９に示すように、ビスやボルト・ナット等の締結具によって梁５１及び補助梁５１ａ、５１ｂに固定するようにする。
そして、カーテン５４を、カーテン５４の上端部をカーテン押さえ５４ａと梁５１との間に挟み込み、カーテン押さえ５４ａを梁５１にビスやボルト・ナット等の締結具で固定することによって取り付けるようにする。
【０００５】
ところで、従来のブース５０は、カーテン５４の取り付けにカーテン押さえ５４ａ及びボルト・ナット等の締結具が必要となり部品点数が増加するとともに、組立作業が繁雑となって時間を要するという問題があった。
【０００６】
この問題点に対処するため、図１０に示すように、カーテン５４を、梁５１に面ファスナ５４ｂを介して取り付ける方法も提案されている。
しかしながら、面ファスナ５４ｂを利用したカーテン５４の取り付け構造の場合、面ファスナ５４ｂに塵埃が付着しやすく、面ファスナ５４ｂの取り付け、取り外し時に発塵しやすく、また、面ファスナ５４ｂを介して空気が流通し、ブース空間の密閉性が低下するという問題があった。
【特許文献１】特開平５−１５７３０１号公報
【発明の開示】
【発明が解決しようとする課題】
【０００７】
本発明は、上記従来のブースの有する問題点に鑑み、カーテンの取り付けに際して、ビスやボルト・ナット等の締結具や面ファスナを不要とし、カーテンの取り付け作業を簡易に短時間で行うことができるブースを提供することを目的とする。
【課題を解決するための手段】
【０００８】
上記目的を達成するため、本発明のブースは、支柱と、支柱の上部を連結する梁と、支柱間の開口部を閉鎖するカーテンとを備えたブースにおいて、支柱及び梁の全長に亘って蟻溝を形成し、カーテンの端部を折り返して形成したループ部に弾性変形可能な素材からなるカーテン係止部材を挿入し、該カーテン係止部材を、カーテンの端部のループ部と共に、前記蟻溝に嵌着してなることを特徴とする。
【発明の効果】
【０００９】
本発明のブースは、支柱及び梁の全長に亘って蟻溝を形成し、カーテンの端部を折り返して形成したループ部に弾性変形可能な素材からなるカーテン係止部材を挿入し、該カーテン係止部材を、カーテンの端部のループ部と共に、前記蟻溝に嵌着するようにしたことにより、カーテンの取り付けに際して、ビスやボルト・ナット等の締結具や面ファスナが不要となり、カーテンの取り付け作業を簡易に短時間で行うことができる。
また、カーテン係止部材は、カーテンの端部を折り返して形成したループ部に挿入されて外部に露出しないため、塵埃が付着しにくく、発塵を防止できるとともに、カーテンの端部が支柱及び梁に密着するため、ブース空間の密閉性を向上することができる。
【発明を実施するための最良の形態】
【００１０】
以下、本発明のブースの実施の形態を、図面に基づいて説明する。
【００１１】
図１〜図５に、本発明のブースの一実施例を示す。
このブース１は、従来のブースと同様、４本の支柱２と、この支柱２の上部でブラケット６を介して連結する梁３と、梁３上に梁側の端部下面を載置する正方形又は矩形状の天板５とから構成し、天板５には吸引ファンＦとフィルタ（図示省略）を配設し、その使用に際しては、支柱２間の開口部を閉鎖する合成樹脂製のシート材からなるカーテン４を取り付け、吸引ファンＦから吸引した外部空間の空気をフィルタにより濾過して浄化空気とし、ブース１内に下降流として吹き出すようにすることにより、ブース空間を清浄雰囲気に保持するものである。
【００１２】
なお、カーテン４に使用する合成樹脂製のシート材には、無色透明のシート材のほか、ブース１の用途に応じて、紫外線を遮断する場合は黄色、遮光する場合は黒色、防虫する場合はオレンジ色等の各種シート材を使用することができる。
【００１３】
支柱２及び梁３は、その全長に亘ってカーテン４を取り付けるための蟻溝１０（溝に沿って内向きのフランジ１１を形成することにより開口部１０ａを絞った形状の溝）を形成するようにしている。
そして、本実施例においては、支柱２及び梁３は、図２〜図３に示すように、同一断面形状のアルミニウム製の型材を使用するようにしている。
これによって、同一断面形状のアルミニウム製の型材を、所望の長さ寸法に切断するだけで、支柱２及び梁３を得ることができ、部品点数を大幅に低減することができる。
【００１４】
一方、カーテン４は、図４に示すように、カーテン４の端部を折り返してループ部４ａを形成するようにしている。
そして、このループ部４ａに弾性変形可能な素材からなるカーテン係止部材７を挿入し、このカーテン係止部材７を、カーテン４の端部のループ部４ａと共に、支柱２及び梁３に形成されている蟻溝１０に嵌着するようにしている。
ループ部４ａは、カーテン係止部材７を挿入することができるだけの空間を有するように形成できるものであれば、その形成方法は特に限定されるものではないが、例えば、図４〜図５に示すように、カーテン４の端部を折り返し、その折り返しの端部４ｂを熱融着することに形成することができる。
【００１５】
カーテン係止部材７は、蟻溝１０の開口部１０ａを通過する際には弾性変形して開口部１０ａを通過し、蟻溝内部１０ｂに到達したときに初期形状に復帰するものであれば、その形状、材料等は特に限定されるものではないが、例えば、図４に示すような、台座７１から延設した固定部７２の先端に対称に可撓部７３、７３を形成した係止体７０や、図５（ｃ）に示すような、スポンジパッキンやゴムパッキンからなる弾性体７４を使用することができる。
【００１６】
支柱２と梁３とを連結するためのブラケット６は、側面に支柱２を取り付けるための取付孔６ｂと上面に梁３を取り付けるための取付孔６ｄを備えるような構造であれば、その形状、材料等は特に限定されるものではないが、例えば、図２に示すように、支柱２の当接箇所に複数の取付孔６ｂを穿孔した正面視三角形状の側板６ａと、梁３の当接箇所に複数の取付孔６ｄを穿孔した正面視Ｌ字状の上面６ｃとを一体に備えた成形体から構成することができる。
【００１７】
そして、このブース１を組み立てる場合は、図２〜図３に示すように、ブラケット６の側板６ａ、６ａに支柱２を当接させ、支柱２の内側に形成されるブラケット６を取り付けるための蟻溝１０’（その形状は、カーテン４を取り付けるための蟻溝１０と同形状）の蟻溝内部１０ｂ’にブラケット６の側板６ａに形成した取付孔６ｂと対向する位置にナット１２を挿入、配設し、内側からボルト等の締結具１３によって固定する。
同様に、梁３のブラケット６を取り付けるための蟻溝１０の蟻溝内部１０ｂ’にブラケット６の上面６ｃに形成した取付孔６ｄと対向する位置にナット１２を挿入、配設し、内側からボルト等の締結具１３によって固定する。
【００１８】
上記作業を４隅のブラケット６に対して行い、その後、梁３の内側に形成する天板受部３ａに天板５を載置する。
天板５は自重によって安定する場合には、特に固定手段を用いる必要はないが、天板受部３ａに形成される蟻溝にナットを挿入、配設し、ブラケット６を固定する際の固定方法と同様の方法で固定するようすることもできる。
【００１９】
次に、カーテン４を支柱２及び梁３に取り付けるに際しては、カーテン４の端部を折り返して形成したループ部４ａに弾性変形可能な素材からなるカーテン係止部材７（７０、７４）を挿入し、カーテン係止部材７を、図５（ａ）に示すように、カーテン４の端部のループ部４ａと共に、カーテン４を取り付ける支柱２及び梁３の全長に亘って形成した蟻溝１０に押し込むことによって弾性変形させながら嵌着するようにして、カーテン４を蟻溝１０に離脱しないように取り付けるようにする。
これにより、カーテン４の取り付けに際して、ビスやボルト・ナット等の締結具や面ファスナが不要となり、カーテン４の取り付け作業を簡易に短時間で行うことができる。
また、カーテン係止部材７は、カーテン４の端部を折り返して形成したループ部４ａに挿入されて外部に露出しないため、塵埃が付着しにくく、発塵を防止できるとともに、カーテン４の端部が支柱２及び梁３に密着するため、ブース空間の密閉性を向上することができる。
【００２０】
なお、カーテン４を支柱２及び梁３から取り外す場合は、カーテン４のループ部４ａを強く引っ張ることにより、カーテン係止部材７を弾性変形させて蟻溝１０との嵌着状態を解除し、カーテン４を、カーテン４のループ部４ａに挿入したカーテン係止部材７と共に、蟻溝１０から離脱させることができる。
【００２１】
以上、本発明のブースについて、その実施例に基づいて説明したが、本発明は上記実施例に記載した構成に限定されるものではなく、例えば、支柱２や梁３はアルミニウム製の型材に限らず、合成樹脂製とする等、その趣旨を逸脱しない範囲において適宜その構成を変更することができるものである。
【産業上の利用可能性】
【００２２】
本発明のブースは、カーテンの取り付けに際して、ビスやボルト・ナット等の締結具や面ファスナを不要とし、カーテンの取り付け作業を簡易に短時間で行うことができるという特性を有していることから、クリーンブースの用途に好適に用いることができるほか、温調機を備えた温調用ブース（ブース空間の空気の少なくとも一部を温調機との間で循環させるように循環式温調用ブース、フィルタを配設した温調用クリーンブース等を含む）等の各種ブースに広く適用できる。
【図面の簡単な説明】
【００２３】
【図１】本発明のブースの一実施例を示し、（ａ）は平面図、（ｂ）は正面図である。
【図２】同ブースの支柱と梁の連結方法を示す斜視図である。
【図３】同ブースの支柱と梁の連結方法を示し、（ａ）は一部断面の平面図、（ｂ）は（ａ）のＡ部拡大図、（ｃ）は一部断面の正面図、（ｄ）は天板を載置した状態を示す一部断面の正面拡大図である。
【図４】同ブースのカーテン取り付け部分を示し、（ａ）は図１のＸ−Ｘ断面図、（ｂ）は図１のＹ−Ｙ断面図である。
【図５】同ブースのカーテンの取り付け要領を示し、（ａ）は取り付け開始の断面図、（ｂ）は同完了図、（ｃ）は他のカーテン係止部材を使用した取り付け完了図である。
【図６】従来のブースを示し、（ａ）は平面図、（ｂ）は正面図である。
【図７】従来のブースの骨組みの組立工程を示し、（ａ）は第１工程、（ｂ）は第２工程である。
【図８】同ブースの要部の平面図である。
【図９】図８のＺ−Ｚ断面図である。
【図１０】ブースのカーテンの取り付けを面ファスナによって行う例を示す断面図である。
【符号の説明】
【００２４】
１    ブース
２    支柱
３    梁
４    カーテン
４ａ  ループ部
５    天板
６    ブラケット
７    カーテン係止部材
１０  蟻溝
１０ａ  開口部
１０ｂ  蟻溝内部
１１  フランジ
【図１】
2009002041.tif 000003
【図２】
2009002041.tif 000004
【図３】
2009002041.tif 000005
【図４】
2009002041.tif 000006
【図５】
2009002041.tif 000007
【図６】
2009002041.tif 000008
【図７】
2009002041.tif 000009
【図８】
2009002041.tif 000010
【図９】
2009002041.tif 000011
【図１０】
2009002041.tif 000012